(57)【要約】【課題】不正器具の挿入を防止するとともに、施錠装置の設計の自由度を増した遊技台を提供する。【解決手段】周囲を囲む壁板１１０の開口縁に凹部８５０を備える本体１０１と、本体方向に向かって延出する遮蔽板部７５０を備え、施錠された場合に凹部８５０に遮蔽板部７５０が挿入されるように構成し、錠前装置７００は、前面扉１０２に取り付けられる錠前基板部７１３と、該錠前基板部７１３から本体方向に向けて起立する第１側板部７１１と第２側板部７１２とで構成された断面略コの字形状の基枠体７１０を備え、シリンダ錠７４０と連動して動作する鈎部７２０が設けられ、錠受装置８００は、本体１０１に取り付けられる錠受基板部８３０と、鈎部７２０が施錠時に係止する鈎係止部８２０とを備え、錠前装置７００の第２側板部７１２が前面扉１０２の背面側縁辺部に配置されるように錠前装置７００を取り付けた。【選択図】図１５
2008212285.tif 000002
【特許請求の範囲】
【請求項１】
周囲を壁板で囲まれて前面側が開口した本体と、前記本体の壁板に設けた蝶番を介し前記本体の開口を開閉可能な扉体と、錠前装置及び錠受装置からなる施錠装置とを備えて、前記本体と前記扉体とを施錠可能な遊技台であって、
前記本体は、前記蝶番を設けた壁板に対峙する壁板の開口縁に凹部を備え、
前記扉部は、少なくとも前記錠前装置または錠受装置の配設位置近傍の縁辺部から前記本体に向かって延出する遮蔽板部を備え、
前記施錠装置によって施錠された場合に、前記凹部に前記遮蔽板部が挿入されるように、前記凹部及び遮蔽板部を構成したことを特徴とする遊技台。
【請求項２】
請求項１に記載の遊技台であって、
前記錠前装置は、前記扉体の背面側に取り付けられる錠前基板部と、該錠前基板部から本体方向に向けて起立する第１側板部と第２側板部とで構成された断面略コの字形状の基枠体を備え、さらに鍵装置と連動して動作する鈎部が設けられ、
前記錠受装置は、前記本体に取り付けられる錠受基板部と、前記錠前装置の鈎部が施錠時に係止する鈎係止部と、を備え、
前記錠前装置の第２側板部が前記扉体の背面側縁辺部に配置されるように、前記錠前装置が前記扉体に取り付けられ、
前記施錠装置によって施錠された場合に、前記錠前装置の第２側板部が前記本体の凹部に挿入されることを特徴とする遊技台。
【請求項３】
請求項２に記載の遊技台であって、
前記錠受装置は、前記錠受基板部の一部が、前記扉体方向に向って前記本体の壁板の開口縁から突出するように、前記本体の壁板に取り付けられ、
前記施錠装置によって施錠された場合に、前記錠受基板部の一部が、前記錠前装置の断面略コの字形状の前記基枠体内に挿入されることを特徴とする遊技台。
【請求項４】
請求項２または３に記載の遊技台であって、
前記扉体は、前記錠前装置を取り付けた近傍の縁辺部に、前記本体方向に向かって起立する側壁部が設けられ、
前記錠前装置は、前記扉体の前記側壁部の後方端縁より前方に、前記錠前基板部が位置するように、かつ前記側壁部の後方端縁より後方に、前記第２側板部の後方端縁が位置するように、前記基枠体が前記扉体に設けられていることを特徴とする遊技台。
【請求項５】
請求項２ないし４の何れかに記載の遊技台であって、
前記錠前基板部、前記第１側板部、または第２側板部から起立する第１起立片を前記施錠装置の近傍に設け、前記第１起立片より上方において、前記第２側板部から起立する第２起立片を設けたことを特徴とする遊技台。
【請求項６】
請求項５に記載の遊技台であって、
前記第１起立片と前記第２起立片とを、上下方向の配置において少なくとも一部が互いに重なり合うように設けたことを特徴とする遊技台。
【請求項７】
請求項５または６に記載の遊技台であって、
前記第２起立片より上方に、前記錠前基板部、前記第１側板部、または第２側板部、から起立する第３起立片を設けたことを特徴とする遊技台。
【請求項８】
請求項７に記載の遊技台であって、
前記第２起立片と前記第３起立片とを、上下方向の配置において少なくとも一部が互いに重なり合うように設けたことを特徴とする遊技台。
【請求項９】
請求項１ないし８の何れかに記載の遊技台であって、
前記扉体は硬質樹脂製であり、前記本体は木製であることを特徴とする遊技台。
【請求項１０】
請求項１ないし９の何れかに記載の遊技台であって、
複数種類の絵柄が施された複数のリールと、
前記複数のリールの回転を開始させる前記操作部の一つとしてのスタートスイッチと、
前記複数のリールそれぞれに対応して設けられ、前記リールの回転を個別に停止させる前記操作部の一つとしてのストップスイッチと、
予め定められた複数種類の入賞役の内部当選の当否を抽選により判定する抽選手段と、
停止時の前記複数のリールにより表示された絵柄の組合せが、前記抽選手段により内部当選した入賞役の絵柄組合せであるか否かにより当該入賞役への入賞を判定する判定手段と、
を備えたことを特徴とする遊技台。
【請求項１１】
請求項１ないし９の何れかに記載の遊技台であって、
所定の入賞口を有する遊技盤を備え、前記所定の入賞口に遊技球が入球することにより、所定の特典を与えることを特徴とする遊技台。
【発明の詳細な説明】
【技術分野】
【０００１】
本発明は、スロットマシン（パチスロ）、パチンコ機に代表される遊技台に関し、詳しくは、施錠装置周辺の安全性を高めた遊技台に関するものである。
【背景技術】
【０００２】
従来、スロットマシン等の遊技台は、例えば、リールユニット、メダルを払い出すホッパーユニット、各装置に電力を供給する電源ボックス等が収容される筐体と、筐体の前面側に開閉可能に設けられる前扉と、を備えている。
【０００３】
しかし、筐体と前扉とが密に閉鎖されるように形成されているものの、不正行為を行なう者は、例えば、筐体と前扉との間にピアノ線等の不正器具を挿入させることで、遊技装置に不正な操作を加えようと試みる。
【０００４】
例えば、図２５に示すように、スロットマシン１００は、前扉である前面扉１０２の一方の側縁を、筐体である本体１０１の一方の側縁に蝶着している。このため、蝶着された側縁とは反対側の側縁、即ち、自由端側の側縁と本体１０１との間に、僅かではあるが隙間が生じることが避けられなかった。
【０００５】
そこで、悪意を持つ者が、この隙間からピアノ線などの異物Ｐを挿入して施錠装置を解錠し、不正行為を働くことが可能であった。即ち、本体１０１に対して開閉可能に蝶着した前面扉の間に生じた隙間に上方から異物Ｐを挿入して、錠前装置を操作して、前面扉１０２が開放可能になっていた。また、異物Ｐを、スロットマシン１００の側方から挿入することも可能であった。
【０００６】
そこで、ピアノ線等の挿入を阻止するために、筐体が前扉と突き合わされる前端面より前方に突出する壁を形成するように、当該筐体に縁部を設けた遊技台が開示されている（特許文献１）。
【０００７】
【特許文献１】特開平１１−２００６８７号公報
【発明の開示】
【発明が解決しようとする課題】
【０００８】
しかしながら、従来の遊技台においては、筐体が前扉と突き合わさる前端面の前方に、施錠装置の一部が臨むように構成しなければならないので、これにより施錠装置の前方に配置されるサイドレンズの取付けスペースが狭くなってしまうなどの制限が生じてしまう。
【０００９】
本発明は、上記のような問題点に鑑み、不正器具の挿入を防止するとともに、施錠装置の設計の自由度を増した遊技台を提供することを目的とする。
【課題を解決するための手段】
【００１０】
前記課題を解決するために、請求項１に係る発明は、周囲を壁板で囲まれて前面側が開口した本体と、前記本体の壁板に設けた蝶番を介し前記本体の開口を開閉可能な扉体と、錠前装置及び錠受装置からなる施錠装置とを備えて、前記本体と前記扉体とを施錠可能な遊技台であって、前記本体は、前記蝶番を設けた壁板に対峙する壁板の開口縁に凹部を備え、前記扉部は、少なくとも前記錠前装置または錠受装置の配設位置近傍の縁辺部から前記本体に向かって延出する遮蔽板部を備え、前記施錠装置によって施錠された場合に、前記凹部に前記遮蔽板部が挿入されるように、前記凹部及び遮蔽板部を構成したことを特徴とする。
【００１１】
請求項２に係る発明は、請求項１に記載の遊技台であって、前記錠前装置は、前記扉体の背面側に取り付けられる錠前基板部と、該錠前基板部から本体方向に向けて起立する第１側板部と第２側板部とで構成された断面略コの字形状の基枠体を備え、さらに鍵装置と連動して動作する鈎部が設けられ、前記錠受装置は、前記本体に取り付けられる錠受基板部と、前記錠前装置の鈎部が施錠時に係止する鈎係止部と、を備え、前記錠前装置の第２側板部が前記扉体の背面側縁辺部に配置されるように、前記錠前装置が前記扉体に取り付けられ、前記施錠装置によって施錠された場合に、前記錠前装置の第２側板部が前記本体の凹部に挿入されることを特徴とする。
【００１２】
請求項３に係る発明は、請求項２に記載の遊技台であって、前記錠受装置は、前記錠受基板部の一部が、前記扉体方向に向って前記本体の壁板の開口縁から突出するように、前記本体の壁板に取り付けられ、前記施錠装置によって施錠された場合に、前記錠受基板部の一部が、前記錠前装置の断面略コの字形状の前記基枠体内に挿入されることを特徴とする。
【００１３】
請求項４に係る発明は、請求項２または３に記載の遊技台であって、前記扉体は、前記錠前装置を取り付けた近傍の縁辺部に、前記本体方向に向かって起立する側壁部が設けられ、前記錠前装置は、前記扉体の前記側壁部の後方端縁より前方に、前記錠前基板部が位置するように、かつ前記側壁部の後方端縁より後方に、前記第２側板部の後方端縁が位置するように、前記基枠体が前記扉体に設けられていることを特徴とする。
【００１４】
請求項５に係る発明は、請求項２ないし４の何れかに記載の遊技台であって、前記錠前基板部、前記第１側板部、または第２側板部から起立する第１起立片を前記施錠装置の近傍に設け、前記第１起立片より上方において、前記第２側板部から起立する第２起立片を設けたことを特徴とする。
【００１５】
請求項６に係る発明は、請求項５または６に記載の遊技台であって、前記第２起立片より上方に、前記錠前基板部、前記第１側板部、または第２側板部、から起立する第３起立片を設けたことを特徴とする。
【００１６】
請求項７に係る発明は、請求項５または６に記載の遊技台であって、前記第２起立片より上方に、前記錠前基板部、前記第１側板部、または第２側板部、から起立する第３起立片を設けたことを特徴とする。
【００１７】
請求項８に係る発明は、請求項７に記載の遊技台であって、前記第２起立片と前記第３起立片とを、上下方向の配置において少なくとも一部が互いに重なり合うように設けたことを特徴とする。
【００１８】
請求項９に係る発明は、請求項１ないし８の何れかに記載の遊技台であって、前記扉体は硬質樹脂製であり、前記本体は木製であることを特徴とする。
【００１９】
請求項１０に係る発明は、請求項１ないし９の何れかに記載の遊技台であって、複数種類の絵柄が施された複数のリールと、前記複数のリールの回転を開始させる前記操作部の一つとしてのスタートスイッチと、前記複数のリールそれぞれに対応して設けられ、前記リールの回転を個別に停止させる前記操作部の一つとしてのストップスイッチと、予め定められた複数種類の入賞役の内部当選の当否を抽選により判定する抽選手段と、停止時の前記複数のリールにより表示された絵柄の組合せが、前記抽選手段により内部当選した入賞役の絵柄組合せであるか否かにより当該入賞役への入賞を判定する判定手段と、を備えたことを特徴とする。
【００２０】
請求項１１に係る発明は、請求項１ないし９の何れかに記載の遊技台であって、所定の入賞口を有する遊技盤を備え、前記所定の入賞口に遊技球が入球することにより、所定の特典を与えることを特徴とする。
【発明の効果】
【００２１】
本発明によれば、施錠装置で施錠された状態において凹部に遮蔽板部が挿入されることにより、不正器具の挿入を阻止することができ、不正行為を未然に防止することが可能であるばかりではなく、施錠装置の前方に配置される装置の取り付けスペースの確保が容易である。
また、施錠装置に起立片を設けることにより、挿入された不正器具の進路を断つことができ、万が一、不正器具が挿入された場合であっても、不正行為を未然に防止することが可能である。
さらに、不正器具の挿入に伴う痕跡が残り易く、不正行為を容易に発見することが可能になって、不正行為による被害を未然に防止することができる。
【発明を実施するための最良の形態】
【００２２】
以下、本発明の実施形態について図面を参照して説明する。図１は本発明の一実施形態に係るスロットマシン１００の斜視図である。
【００２３】
＜全体の構成＞
図１に示すスロットマシン１００は、筐体である本体１０１と、この本体１０１の正面に取り付けられ、本体１０１に対して開閉可能な扉体である前面扉１０２とを備える。本体１０１は、周囲を壁板１１０で囲まれて前面側が開口した筐体であり、以下キャビネットということがある。また、この本体１０１は、木製である。なお、ここで、木製とは、無垢材ばかりではなく、合板やパーティクルボード等の木質ボードを含むものである。
【００２４】
本体１０１の中央内部には、図示していないが、外周面に複数種類の絵柄が配置されたリールが３個（左リール、中リール、右リール）収納され、スロットマシン１００の内部で回転できるように構成されている。これらのリールはステッピングモータ等の駆動手段により回転駆動される。
【００２５】
本実施形態において、各絵柄は、図示していない帯状部材に等間隔で適当数印刷され、この帯状部材が所定の円形筒状の枠材に貼り付けられて各リールが構成されている。リール上の絵柄は、遊技者から見ると、絵柄表示窓１１３から縦方向に概ね３つ表示され、合計９つの絵柄が見えるようになっている。そして、各リールを回転させることにより、遊技者から見える絵柄の組み合せが変動することとなる。つまり、各リールは複数種類の絵柄の組合せを変動可能に表示する表示手段として機能する。なお、このような表示手段としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００２６】
各々のリールの背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。なお、スロットマシン１００内部において各々のリールの近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の絵柄の回転方向の位置を判断し、目的とする絵柄が入賞ライン上に表示されるようにリールを停止させる。
【００２７】
入賞ライン表示ランプ１２０は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではない。
【００２８】
告知ランプ１１４は、例えば、内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要）を遊技者に知らせるランプである。リールパネルランプ１２３は演出用のランプである。
【００２９】
ベットボタン１３０乃至１３２は、スロットマシン１００に電子的に貯留されているメダル（クレジットという。）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００３０】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。
【００３１】
スタートレバー１３５は、リールの回転を開始させるためのレバー型のスイッチである。即ち、メダル投入口１４１に所望するメダル枚数を投入するか、ベットボタン１３０乃至１３２を操作して、スタートレバー１３５を操作すると、リールが回転を開始することとなる。スタートレバー１３５に対する操作を遊技の開始操作と言う。
【００３２】
ストップボタンユニット１３６には、ストップボタン１３７乃至１３９が設けられている。ストップボタン１３７乃至１３９は、スタートレバー１３５の操作によって回転を開始したリールを個別に停止させるためのボタン型のスイッチであり、各リールに対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００３３】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１４２から排出するためのボタンである。ドアキー１４０は、スロットマシン１００の前面扉１０２のロックを解除するためのキーを挿入する孔である。メダル払出口１４２は、メダルを払出すための払出口である。
【００３４】
音孔１４３はスロットマシン１００内部に設けられているスピーカの音を外部に出力するための孔である。前面扉１０２の左右各部に設けられたサイドランプ１４４は遊技を盛り上げるための装飾用のランプである。なお、サイドランプ１４４は、複数の部材を組み合わせてなるユニットであるので、以下サイドランプユニット１４４ということがある。
【００３５】
＜前面扉の構成＞
図２は、本体１０１に図示していない蝶番を介して開閉可能に蝶着される扉体である前面扉１０２の分解斜視図である。この前面扉１０２は、スロットマシン１００の主要な構成部品を備えており、例えば、上方から順に、上部ランプ６１１等を含む上部演出ユニット６１０、リールパネル押えアッシー６２０、中央部ユニットとして装飾パネル６５１等を含む操作部ベース６５０、メダル払出口パネル６３０、受皿ユニット６４０、及び左右のサイドランプユニット１４４など、種々の部品を備えている。
【００３６】
そして、前記した絵柄表示窓１１３や、遊技開始ランプ１２１、再遊技ランプ１２２、遊技メダル投入可能ランプ１２４、貯留枚数表示器１２５、内部上方表示器１２６、払出枚数表示器１２７などは、リールパネル押えアッシー６２０に設けてある。
【００３７】
なお、操作部ベース６５０には、遊技者が操作する操作部としてのベットボタン１３０乃至１３２、スタートレバー１３５、ストップボタン１３７乃至１３９等が配設され、これの電気部品には種々のハーネス（図示せず）が夫々接続されている。
【００３８】
前面扉１０２は、図２に示すように、フロントパネル９００に対して、上部演出ユニット６１０、リールパネル押えアッシー６２０、操作部ベース６５０、メダル払出口パネル６３０、受皿ユニット６４０、及び左右のサイドランプユニット１４４を、着脱可能に取り付けることにより構成してある。また、受皿ユニット６４０には、灰皿２００が併設してある。
【００３９】
メダル払出口パネル６３０は、操作部ベース６５０の下方に位置し、受皿ユニット６４０の後方開口部を塞ぐように配置され、フロントパネル９００の前面の一部を覆う部品であり、交換可能に取り付けられている。また、このメダル払出口パネル６３０は、メダル払出口１４２及び音孔１４３が開設された金属製の板状部品である。このため、メダル払出口１４２から払い出されたメダルが、このメダル払出口パネル６３０に衝接或いは擦れても、メダル払出口パネル６３０に傷が付く虞れが少なく、万が一、傷が付いても容易に交換することができる。従って、常に、傷のない状態で遊技を行なうことができ、遊技者に好印象を与えることができる。
【００４０】
図３は、前面扉１０２を背面側から見た分解斜視図である。即ち、前面扉１０２を構成する合成樹脂製のフロントパネル９００の背面側には、金属製の上部補強フレーム９２１、中央補強フレーム９２２、下部補強フレーム９２３、及び左右の側部補強フレーム９２４−Ｌ、９２４−Ｒが、取り付けられている。なお、正面から見て右側（図３では左側）の側部補強フレーム９２４−Ｒには、後述する錠前装置７００が設けられている。
【００４１】
さらに、このフロントパネル９００は、前記したように合成樹脂により一体成形されており、上半部分には、上部演出ユニット６１０及びリールパネル押えアッシー６２０を取り付けるために、一つの大きく開口する窓状の開口部９２５が形成してあり、下半部分には、必要な受部や補強リブ、或いは取付孔等が適宜形成してある。また、開口部９２５の枠部分にも、受部、補強リブ、取付孔等が適宜設けてある。そして、このフロントパネル９００には種々の部品が取り付けられると共に、前面にはカバー部材などが取り付けられる。このため、フロントパネル９００は、前面が露出することがないので、メッキ処理等、外観上の装飾対策が必要なく、リサイクル性に優れる。また、部品やカバー部材等の交換により、いろいろな機種に対応することができる。さらに、開口部９２５が一つに開口しているので、機種に応じて、上部演出ユニット６１０を取り付ける領域を広くし、リールパネル押えアッシー６２０を取り付ける領域を狭くしたり、取付領域を適宜調整して、フロントパネル９００を共通部材として利用可能である。
【００４２】
＜施錠装置＞
図４は、フロントパネル９００及び錠前装置７００を後方からみた斜視図であり、錠前装置７００をフロントパネル９００の背面側に取り付ける前の状態を示している。なお、以下、錠前装置７００を含めて前面扉１０２或いはフロントパネル９００ということがある。また、錠前装置７００及び、この錠前装置７００と対をなす錠受装置８００の詳細については後述する。
【００４３】
図５は、錠前装置７００を取り付けたフロントパネル９００、即ち前面扉１０２の説明図であって、（ａ）は前面扉１０２の右側面図を示し、（ｂ）は前面扉１０２の平面図を示している。フロントパネル９００に取り付けられた錠前装置７００は、例えば、この図５から明らかなように、フロントパネル９００の後端面から後方に向けて、即ち図示していない本体方向へ向けて若干突出している。また、この錠前装置７００は、本体１０１に開閉可能に蝶着したフロントパネル９００の自由端側に位置し、右側のサイドランプユニット１４４−Ｒの後方に配設してある。そして、前面扉１０２を閉じた状態では、錠前装置７００の突出部分が、筐体である本体１０１の内部に収容されるようになっている。
【００４４】
図６は錠前装置７００の説明図であって、（ａ）は錠前装置７００を前面側から見た斜視図、（ｂ）は錠前装置７００を背面側から見た斜視図である。
【００４５】
錠前装置７００は、扉体を構成するフロントパネル９００の背面側に取り付けられる錠前基板部７１３と、この錠前基板部７１３の両側縁から本体１０１方向に向けて起立する第１側板部７１１及び第２側板部７１２とで構成された断面略コの字形状の基枠体７１０を備えている。この基枠体７１０は、金属板をプレス成形したり、帯材を横断面の形状が略コ字形になるように、溶接やネジ止めなどにより構成したものである。
【００４６】
基枠体７１０の上部及び下部には、鈎部７２０が傾動可能に枢支され、基枠体７１０内に摺動可能に配設した連結杆７３１により上下の鈎部７２０が連結されている。また、図示していない鍵を差し込んで施錠・解錠を行なう、例えばシリンダ錠７４０からなる鍵装置が、基枠体７１０の中間部に取り付けられ、その鈎軸７４１の一端に取り付けたカム部材７３２を、カム機構７３０を介して連結杆７３１に連結させている。そこで、シリンダ錠７４０に鍵を差し込み、この鍵を操作することによりカム部材７３２を回動されると、連結杆７３１を介して上下の鈎部７２０を上側に傾動して解錠することができる。
【００４７】
シリンダ錠７４０の前端面は、前面扉１０２の表面に露出し、前面側から図示していない鍵によって、施錠・解錠の操作が行なわれる。また、錠前基板部７１３の所定位置には、前面扉１０２の閉止時に、後述する錠受装置８００の受け金具８１０に乗って、前面扉１０２を支持する支持ローラ７１４が回転自在に軸支されている。
【００４８】
シリンダ錠７４０の鈎軸７４１の一端に取り付けたカム部材７３２を含むカム機構７３０は、図示の実施例によれば、図７に示すように、補助板７３３を備えている。即ち、連結杆７３１の途中に設けたコ字状屈曲部７３１ａに沿って、この屈曲部７３１ａとほゞ同形に屈曲形成した補助板７３３が設けてあり、この補助板７３３を超えて前記したカム部材７３２が連結杆７３１に作用するように構成してある。そこで、連結杆７３１には係合口７３４が開設してあり、この係合口７３４にカム部材７３２の係合片７３２ａが遊嵌している。
【００４９】
そして、前面扉１０２が閉じられて施錠されている状態では、図７（ａ）及び（ｃ）に示すように、カム部材７３２の係合片７３２ａが係合口７３４に嵌入しているので、連結杆７３１を下降させようとしても、係合片７３２ａが係合口７３４の縁に係止するので、連結杆７３１を下降させることができない。したがって、連結杆７３１を下降させて、鈎部７２０と後述する鈎係止部８２０との係止を外すことができず、不正に前面扉１０２を開放することが不可能である。なお、シリンダ錠７４０は、図示していない鍵を、同じく図示していない鍵穴に挿入しない限り、鈎軸７４１が回動しないようになっている。
【００５０】
一方、解錠する場合には、図７（ｂ）及び（ｄ）に示すように、鍵を鍵穴に差し込んで、鈎軸７４１を回動させると、係合口７３４に嵌入しているカム部材７３２の係合片７３２ａが、連結杆７３１を下降させるので、鈎部７２０がカム機構７３０を介して上動するので、後述する鈎係止部８２０との係止が外れる。
【００５１】
次に、錠前装置７００と対を成す錠受装置８００について説明する。錠受装置８００は、図８に示すように、本体１０１を構成するキャビネットの一側に、例えばネジ８０１によって固定される装置であり、前記した錠前装置７００と組み合わされることにより施錠装置７０１を構成する。なお、図８に示す実施例においては、この錠受装置８００と共に、防犯板金上８４１及び防犯板金下８４２が、キャビネットの天板及び底板の前縁部分に、一端部を重ね合わせて、共通のネジ８０１によって固定してある。なお、これらの防犯板金上８４１及び防犯板金下８４２については後述する。
【００５２】
この錠受装置８００は、キャビネットの壁板１１０である側板の全域、言い換えるとキャビネットの全高に渡って延在しており、金属板を成形加工したものである。即ち、この錠受装置８００は、キャビネットの右側壁板１１０−Ｒと密接して固定される帯状の鈎受基板部８３０と、この鈎受基板部８３０に対してほゞ直交する方向に延出する上下一組の鈎係止部８２０と、前記した錠前装置７００に設けた支持ローラ７１４が乗り上げる受け金具８１０と、を備えている。なお、受け金具８１０の先端は、支持ローラ７１４が乗り上げ易いように、若干下向きに湾曲している。
【００５３】
鈎係止部８２０は、錠前装置７００の鈎部７２０に対応する位置に設けてあり、前面扉１０２を回動させて本体１０１の開口を閉止するときに、鈎部７２０の傾斜下縁が、鈎係止部８２０の上縁に当接するため、この鈎部７２０がバネ７３５の付勢に抗して上方へ傾動し、傾斜下端を過ぎると、バネ７３５の付勢により、鈎部７２０が戻り回動するため、鈎部７２０の係止溝７２１に鈎係止部８２０が嵌入する。
【００５４】
即ち、錠前装置７００及び錠受装置８００並びに施錠装置７０１を示した図９のように、錠前装置７００を錠受装置８００に押し付けると、実際は、前面扉１０２を蝶番を支点に回動させることにより、図９（ａ）に示す矢印の方向に、錠前装置７００を移動させると、図９（ｂ）に示すように、錠前装置７００と錠受装置８００とが嵌合して重なった状態になり、鈎部７２０の係止溝７２１に鈎係止部８２０が嵌入する。
【００５５】
この鈎部７２０が係止溝７２１に嵌入した状態では、前面扉１０２を開放する方向に引っ張っても、鈎部７２０と鈎係止部８２０とが係止するので、前面扉１０２を開放することが不可能であって、錠前装置７００と錠受装置８００とによる即ち施錠装置７０１による施錠が完了する。
【００５６】
このような施錠装置７０１の実施例によれば、外部から鈎部７２０或いは連結杆７３１を操作することが難しく、施錠装置７０１による施錠を不正に解除することは困難である。即ち、前面扉１０２を不正に開放して、不正行為を働くことは困難である。
【００５７】
また、図８に示すように、本体１０１を構成するキャビネットの天板及び底板の前縁部分には、金属板よりなる防犯板金上８４１及び防犯板金下８４２が取り付けてある。このため、本体１０１と前面扉１０２との隙間に、上方または下方からに不正行為を行うための器具を挿入したり、隙間の周辺を破壊したりすることができない。
【００５８】
そして、さらに図示の実施例においては、不正行為を防止するために、さらなる不正行為防止手段が設けてある。即ち、図１０ないし図１２に示すように、錠前装置７００の上方に、不正行為を行なうための異物の挿入を阻止するために、具体的には連結杆７３１を下方に移動させて鈎部７２０を上方へ回動させることにより、当該鈎部７２０の係止溝７２１と鈎係止部８２０との係止を解除させる異物の挿入を阻止するために、不正器具の挿入を阻止する異物対策片が設けてある。
【００５９】
例えば、図１０に示す実施例においては、上側に位置する鈎部７２０の上方に、複数の異物対策片が設けてある。即ち、錠前装置７００の近傍において、連結杆７３１と鈎部７２０とが軸着された上方部分を覆うように、基枠体７１０の第１側板部７１１の一部を切り起こすことにより、前記連結杆７３１の上端部分に隣接して第１起立片７５１が、異物の進路を断つ第１の異物対策片として形成してある。
【００６０】
また、この第１の異物対策片の上方、即ち第１起立片７５１の上方に、基枠体７１０の錠前基板部７１３の一部を切り起こすことにより、第２起立片７５２が第２の異物対策片として形成してある。さらに、この第２起立片７５２の上方、即ち第２の異物対策片の上方に、基枠体７１０の第１側板部７１１の一部を曲折させることにより、第３起立片７５３が第３の異物対策片として形成してある。
【００６１】
そして、これらの第１〜第３起立片７５１，７５２，７５３は、図１１に示すように、各起立片７５１，７５２，７５３の内側端が、上下方向の配置において、互いに一部が重なるように配設してある。このため、基枠体７１０の内部の空間が分断され、しかも、左右に振り分けられているので、不正器具を上方から、連結杆７３１に向けて挿入する場合に、各起立片７５１，７５２，７５３を左右に避けながら挿入しなければならないので、鈎部７２０及び連結杆７３１の位置に到達することが極めて困難である。したがって、不正対策として、充分な効果を発揮することができる。
【００６２】
なお、図示の実施例においては、３箇所に異物対策片としての起立片７５１，７５２，７５３を設けているが、起立片の数はこれに限るものではなく適宜に設定できる。また、各起立片の位置も、適宜に設定可能であって、例えば等間隔に配置する必要はないし、左右交互に配置する必要もなく、さらに各起立片を互いにオーバーラップさせなくても、充分な不正防止効果を得ることができる。
【００６３】
図１２は、異物対策片の他の実施例を示す要部の正面図である。即ち、図１２（ａ）に示す実施例では、第１の異物対策片である第１起立片７５１を、錠前装置７００の近傍、即ち鈎部７２０の近傍に、図では右側に位置している第１側板部７１１から延出するように配設し、第２及び第３の異物対策片である第２起立片７５２及び第３起立片７５３を、互いに一部重なるように近接して、左右の第１側板部７１１または第２側板部７１２から延出するように配設したものである。この実施例によれば、上方から挿入された不正器具の侵入を確実に防止することができる。
【００６４】
図１２（ｂ）に示す実施例では、第１の異物対策片としての第１起立片７５１を、鈎部７２０の近傍に、右側の第１側板部７１１から延出するように配設し、第２の異物対策片としての第２起立片７５２を、左側の第２側板部７１２から、前記第１起立片７５１と一部重なるように、上下方向に所定の間隔を開けて配設したものである。この実施例によれば、上方から挿入された不正器具の侵入に対して充分に効果を発揮することができる。
【００６５】
図１２（ｃ）に示す実施例では、第１〜第３の各異物対策片を、ブロック状に形成したものである。即ち、左右の第１側板部７１１及び第２側板部７１２を、ほゞ方形に屈曲起立させることにより、ほゞ方形の起立片７５１，７５２，７５３を形成している。この実施例においても、左右の第１及び第２側板部７１２から突出状に配設した各起立片７５１，７５２，７５３の先端部分が、幅方向のほゞ中央において、互いに重なり合っている。この実施例によっても、上方から不正に挿入された不正器具の更なる侵入を確実に防止することができる。
【００６６】
図１２（ｄ）に示す実施例では、各異物対策片である各起立片７５１，７５２，７５３の先端に、上向きに突出するいわゆる「かえし」７５４をそれぞれ設けたものである。また、図示はしないが、下方からの異物の挿入を阻止するために鈎部７２０の下方に異物対策片を設けてもよく、この場合は、「かえし」７５４を下向きに突出させるとよい。つまり、各異物対策片である各起立片７５１，７５２，７５３の先端に、上向き、または、下向きに突出する突出部を設ければよい。この実施例によれば、上方から不正に挿入された不正器具の先端が、各「かえし」７５４に衝接して停止され、或いは各「かえし」７５４によって元来た方向へ誘導されるので、不正器具の更なる侵入を確実に防止することができる。
【００６７】
図１３は、錠前装置７００の他の実施例を示し、（ａ）は上方部分の斜視図、（ｂ）は正面図である。この実施例における錠前装置７００は、基枠体７１０の３箇所に異物対策片としての起立片７５１，７５２，７５３が配設してあるが、基枠体７１０を上下に２分割して構成してある。即ち、連結杆７３１を備える下部基枠体７１０−１に、当該連結杆７３１に近接して第１起立片７５１を配設し、上方の位置する上部基枠体７１０−２に、第２及び第３の起立片７５２，７５３を配設してある。なお、前記した図１０に示した実施例と同じ機能を備える部位には同一の符号を付して説明を省略する。
【００６８】
この実施例によれば、金属製で重量のある基枠体７１０を、軽量な複数部品で構成するようにしたので、取り付け作業が容易となる。また、下部基枠体７１０−１と上部基枠体７１０−２とを近接して配置することにより、隙間を無くすことができ、この隙間から不正器具を挿入される恐れもない。
【００６９】
図１４は、錠受装置８００を取り付けた状態のスロットマシン１００の本体１０１を示し、（ａ）は天板の一部を欠截した平面図、（ｂ）は正面図、（ｃ）はＡ部の拡大図である。錠受装置８００は、前記した図７に示すように、本体１０１を構成するキャビネットの右側壁板１１０−Ｒの開口縁に沿って、キャビネットのほゞ全高に渡って取り付けられている。また、キャビネットの右側壁板１１０−Ｒの開口縁には、段差が設けてある。そして、キャビネットの右側壁板１１０−Ｒと、この右側壁板１１０−Ｒに取り付けた錠受装置８００との間に、前面側が開放する凹部８５０が前記した段差によって形成され、この凹部８５０に、前面扉１０２に取り付けた錠前装置７００の遮蔽板部７５０が挿入されることになる。
【００７０】
そして、この凹部８５０は前面扉１０２の回動軌跡上に配設され、具体的には、図示していない蝶番を支点に回動する錠前装置７００の遮蔽板部７５０の回動軌跡に対応して配設されており、遮蔽板部７５０が接触することなく凹部８５０に挿入可能に構成してある。なお、支点の移動が可能な蝶番にあっても、遮蔽板部７５０が凹部８５０に挿入されるように構成する。
【００７１】
図１５は、キャビネットに前面扉１０２を装着した状態を示しており、（ａ）は正面図であり、（ｂ）は前面扉１０２を閉じた状態におけるＡ−Ａ線断面図、（ｃ）は前面扉１０２を僅かに開いた状態におけるＡ−Ａ線断面図である。なお、前面扉１０２は、フロントパネル９００に右側のサイドランプユニット１４４−Ｒのみを取り付けた状態である。また、フロントパネル９００には、錠前装置７００を取り付けた近傍の縁辺部に、前面扉１０２を閉じた状態で右側壁板１１０−Ｒとほゞ面一となる側壁部９０１が設けてある。
【００７２】
そして、前面扉１０２を閉止した状態では、図１５（ｂ）に示すように、前面扉１０２に設けた錠前装置７００の遮蔽板部７５０が、キャビネットに形成された凹部８５０に挿入されている。従って、不正器具を、前面扉１０２とキャビネットとの当接面から挿入しようとしても、キャビネットの側方から挿入することは、困難である。
【００７３】
図１６は、キャビネットに前面扉１０２のフロントパネル９００を装着した状態を示しており、（ａ）は正面図であり、（ｂ）は前面扉１０２を閉じた状態におけるＢ−Ｂ線断面図、（ｃ）は前面扉１０２を僅かに開いた状態におけるＢ−Ｂ線断面図である。
【００７４】
この図１６におけるＢ−Ｂ線は、錠前装置７００と錠受装置８００とからなる施錠装置７０１における上側の鈎部７２０付近を示し、この部分においても充分に不正遊技防止効果を有している。即ち、前面扉１０２に設けた錠前装置７００の遮蔽板部７５０が、キャビネットに形成された凹部８５０に挿入されている。従って、不正器具を、前面扉１０２とキャビネットとの当接面から挿入しようとしても、キャビネットの側方から挿入することは、困難である。
【００７５】
例えば、図１７に示す実施例においては、フロントパネル９００の側壁部９０１の先端縁、スロットマシン１００を正面から見た場合を基準にすると、側壁部の９０１の後方端縁より前方（手前の前面扉１０２側）に、錠前装置７００の錠前基板部７１３が位置するように、かつ側壁部９０１の後方端縁より後方（奥の本体１０１側）に、遮蔽板部７５０となる第２側板部７１２の後方端縁が位置するように、基枠体７１０が扉体を構成するフロントパネル９００に設けられている。
【００７６】
そして、図１７に示すように、前面扉１０２を閉じたスロットマシン１００においては、前面扉１０２側に設けた遮蔽板部７５０、即ち、基枠体７１０の第２側板部７１２が、キャビネット側に形成されている凹部８５０に挿入され、この凹部８５０を分断している。このため、不正行為を行なおうとして、例えば施錠装置７０１による施錠を解除するように、前面扉１０２とキャビネットとが当接する面に生じた隙間に、ピアノ線などの不正な器具Ｐを側方から挿入すると、この不正器具Ｐが屈曲する部分、図１７においては、符号Ｂで示した部分にキズが生じたり、破損することがある。また、無理に挿入しようとすれば、同図において符号Ａで示した部分が破損する恐れもある。
【００７７】
そして、傷や破損が発生した場合には、これらの痕跡が残るので、仮に、施錠を破られて不正行為が行なわれたとしても、これらの痕跡を発見することで、不正行為が行なわれた遊技台、即ちスロットマシン１００の稼動を直ちに停止させることができ、遊技店の被害を最小限に防止することが可能である。
【００７８】
図１８は、他の実施例を示す断面図である。この実施例においては、遮蔽板部７５０が挿入される凹部８５０を、キャビネットの壁板１１０のみで形成している。即ち、キャビネットの右側壁板１１０−Ｒの前端部分に係止溝８５１を形成し、この係止溝８５１に施錠装置の遮蔽板部７５０が挿入されるようになっている。
【００７９】
この実施例おいても、隙間から不正な器具を挿入すると、遮蔽板部７５０が不正器具の更なる侵入を阻止する。また、不正な器具を挿入した際に、係止溝８５１の周辺に、傷や破損が発生し、不正行為の痕跡が残るため、不正行為を容易に発見することができる。
【００８０】
図１９は、他の実施例を示す要部の断面図である。即ち、図１９（ａ）に示す実施例は、前面扉１０２に設けた遮蔽板部７５０の基板部分と、キャビネットの壁板１１０−Ｒの前端面に当接する前面扉１０２の後端面とが、ほゞ面一に形成されている。言い換えると、前面扉１０２とキャビネットとが当接する面の延長上に、遮蔽板部７５０の基板部分である錠前基板部７１３が位置することになる。この実施例においても、前面扉１０２とキャビネットとの間に生じてしまった隙間から、不正な器具を挿入すると、遮蔽板部７５０が立ち上がる基枠体７１０によって、不正器具の侵入が阻止されることになり、施錠装置７０１の前方に配置される装置の取付けスペースの確保が容易となる。
【００８１】
図１９（ｂ）に示す実施例においては、前面扉１０２とキャビネットとが当接する面よりも上方に、即ち、キャビネット側に若干食い込んだ位置に、基枠体７１０の錠前基板部７１３が位置している。この実施例においても、前面扉１０２とキャビネットとの間に生じた隙間から、不正な器具を挿入すると、前面扉１０２に設けた段差９０２の立ち上がり部分に、挿入した不正な器具が先ず衝突することになるので、不正な器具の更なる侵入を阻止することができ、施錠装置７０１の前方に配置される装置の取付けスペースの確保が容易となる。
【００８２】
図２０は、他の実施例を示す要部の断面図である。この実施例においては、遮蔽板部７５０即ち第２側板部７１２の先端部分、第１側板部７１１の先端部分、及び鈎受基板部８３０の先端部分に、いわゆる「かえし」７１２′、７１１′、８３０′がそれぞれ設けてある。即ち、不正な器具が隙間から挿入された場合に、挿入された不正器具の先端が前記した「かえし」７１２′、７１１′、８３０′に係止することになる。従って、万が一、前面扉１０２とキャビネットとの隙間から不正器具が挿入され、更に侵入方向が変更されても、挿入された不正器具の先端が「かえし」７１２′、７１１′、８３０′に到達すると、この到達した不正器具の先端が「かえし」７１２′、７１１′、８３０′に係止することになる。このため、隙間から挿入された不正器具の更なる侵入を「かえし」７１２′、７１１′、８３０′によって確実に阻止することができる。
【００８３】
また、この実施例においては、遮蔽板部７５０の基板部分、即ち基枠体７１０の錠前基板部７１３を、前面扉１０２とキャビネットとの当接面、言い換えると、隙間が発生し易い位置よりも、前側（図面では下側）に位置させている。そこで、隙間から挿入された不正器具が、最初に遮蔽板部７５０の側面に当接して進路を阻まれる。このため、遮蔽板部７５０は、金属板により形成してあるので、不正器具の侵入によって破損されることがなく、不正器具の侵入を確実に阻止することができ、施錠装置７０１の前方に配置される装置の取付けスペースの確保が容易となる。
【００８４】
図２１は、他の実施例を示す要部の断面図である。即ち、この実施例においては、凹部８５０の一部となる第２の凹部８５０−２を前面扉１０２側に形成し、この前面扉１０２側の第２の凹部８５０−２に、キャビネット側に設けた遮蔽部材が挿入されるようになっている。具体的には、キャビネットの壁板１１０−Ｒの前端部分の内側角部を切り欠き、この切り欠いた部分の内面に沿って、錠受装置８００の鈎受基板部８３０を設け、この鈎受基板部８３０の先端部分（以下、錠受先端部８３１という）を、キャビネットの前端面よりも前方（図においては下側）に突出させて遮蔽部材としている。
【００８５】
一方、前面扉１０２には、前記したキャビネット側の遮蔽部材として機能する錠受先端部８３１が挿入される第２の凹部８５０−２が形成してある。即ち、前面扉１０２を構成するフロントパネル９００に、前記第２の凹部８５０−２を設けると共にフロントパネル９００の外側（図面では右側）に、側壁部９０１を設けている。そして、錠前装置７００を構成する断面ほゞコ字状の基枠体７１０を、第２の凹部８５０−２を設けたフロントパネル９００の後端（図面では上端）に取り付けている。したがって、基枠体７１０の右側の第２側板部７１２が遮蔽板部７５０となり、第１の凹部８５０−１に挿入される。
【００８６】
この実施例によれば、キャビネット側の第１の凹部８５０−１と前面扉１０２側の第２の凹部８５０−２とが、連通して一つの凹部８５０を形成し、この一つの凹部８５０に、鈎受基板部８３０の錠受先端部８３１と、前面扉１０２側の第２側板部７１２とが、互いに重なるように挿入されている。即ち、凹部８５０内に二重の遮蔽部材が存在する。従って、前面扉１０２とキャビネットとの間に生じる隙間を利用して不正な器具を挿入しようとしても、二重に配設された遮蔽部材である遮蔽板部７５０及び錠受先端部８３１により、不正器具の挿入を二重に防止することができる。
【００８７】
図２２は、他の実施例を示す要部の断面図である。この実施例においては、凹部８５０を形成するキャビネットの壁板１１０の壁面に、例えば軟質樹脂等からなる傷などが残り易い材質で形成した痕跡部材８６０が取り付けてある。
【００８８】
このため、この実施例によれば、不正な器具が挿入されると、この痕跡部材８６０に不正器具を挿入した痕跡が残るため、不正行為を容易に発見することができる。
【００８９】
図２３は、他の実施例を示す要部の断面図である。即ち、図２３（ａ）に示す実施例においては、キャビネット側の壁板１１０に、例えば軟質樹脂等からなる傷などが残り易い材質によって形成した痕跡部材８６０が、前記壁板１１０の前端部分を覆うように取り付けてあり、さらに、壁板１１０の外面にまで延設されている。
【００９０】
この実施例によれば、不正器具の挿入を防止可能であるばかりではなく、不正器具が挿入された場合には、その痕跡が痕跡部材８６０に残るため、前面扉１０２を閉じた状態であっても不正行為を容易に発見することが可能になって、不正行為による被害を未然に防止することができる。
【００９１】
また、図２３（ｂ）に示す実施例においては、キャビネット側に設けた凹部８５０に、例えば軟質樹脂等からなり、弾力性を有すると共に傷などが残り易い材質によって形成した弾性痕跡部材８６１が、キャビネットの前端部分を覆うように取り付けてある。従って、凹部８５０に挿入された遮蔽板部７５０を、弾性痕跡部材８６１が変形して受け止めることになり、遮蔽板部７５０と弾性痕跡部材８６１との間に隙間が生じることがない。
【００９２】
そして、この実施例によれば、弾性痕跡部材８６１と遮蔽板部７５０との間に隙間が生じることがないので、不正な器具の挿入を確実に阻止することができる。
【００９３】
図２４は、他の実施例を示す要部の断面図である。この実施例においては、前面扉１０２の一部が、凹部８５０に挿入されるように形成してある。即ち、図２４（ａ）に示す実施例においては、前面扉１０２に形成した突出片９０３、具体的にはフロントパネル９００の背面側（図面では上方）に形成した突出片９０３が、錠前装置７００の基枠体７１０の遮蔽板部７５０である第２側板部７１２と重なって、キャビネット側に形成された凹部８５０に挿入されるようになっている。また、突出片９０３と遮蔽板部７５０との先端が揃って、前記した凹部８５０に挿入されている。言い換えると、凹部８５０内の何処を取っても、常に突出片９０３と遮蔽板部７５０とが存在している。さらに、この実施例では、前面扉１０２を構成するフロントパネル９００の外側（図面では右側）に例えばカバー部材として側壁部９０１を添設し、この側壁部９０１の先端と、キャビネットの先端とが当接するように構成してある。
【００９４】
この実施例によれば、フロントパネル９００の突出片９０３及び錠前装置７００の遮蔽板部７５０が、凹部８５０内に二重に存在するので、隙間から挿入された不正器具の更なる侵入を、確実に阻止することができる。
【００９５】
また、図２４（ｂ）に示す実施例においては、フロントパネル９００に形成した突出片９０３のみが凹部８５０に挿入されるように形成してある。即ち、錠前装置７００を構成する基枠体７１０の第２側板部７１２が形成する遮蔽板部７５０の長さを短くし、遮蔽板部７５０の先端位置と、フロントパネル９００に設けた側壁部９０１の先端位置と、をほゞ揃えている。
【００９６】
この実施例によっても、前面扉１０２のフロントパネル９００に形成した突出片９０３が、凹部８５０に挿入されているので、隙間から挿入された不正器具が、突出片９０３に側面から当接することになるため、不正器具の更なる侵入を阻止することができる。
【００９７】
上記した各実施例においては。遊技台の一例として遊技媒体にメダルを用いるスロットマシンについて説明したが、本発明はこれに限定されるものではなく、例えば、遊技媒体として遊技球（例えば、パチンコ玉）を用いるスロットマシン（いわゆるパロット）やパチンコ機などにも適用可能である。
【００９８】
例えば、本発明が適用されるパチンコ機としては、所定の図柄（識別情報）を変動表示する可変表示装置を遊技盤に備え、遊技盤に設けた始動入賞口に遊技球が入って入賞することを契機として、可変表示装置が図柄を変動させた後に停止表示させて、遊技状態の推移を告知するようなパチンコ機が一例として挙げられる。
【００９９】
このようなパチンコ機では、遊技球が始動入賞口に入球すると、抽選を行い、この抽選結果が大当りであるか否かを判定する。そして、この抽選で大当たりに当選すると、可変表示装置により、特定の図柄による組合せ（大当たり図柄；例えば、７７７など）が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ（大当たり図柄）が、確率変動を伴う大当たり図柄（確変図柄）である場合には、次に大当たりとなる確率が高くなり、遊技者にとってさらに有利な状態が実現される。
【０１００】
そして、可変表示装置や始動入賞口を備える遊技盤は、本体に開閉可能に蝶着した扉体に取り付けられている。
【０１０１】
以上、本発明を図示の実施例について説明したが、本発明は前記した各実施例に限定されるものではなく、特許請求の範囲に記載した構成を変更しない限り適宜に実施できる。例えば、前記した各実施例においては、前面扉に錠前装置を設け、本体に錠受装置を設けて施錠装置を構成しているが、前面扉に錠受装置を設け、本体に錠前装置を設けることもできる。
【図面の簡単な説明】
【０１０２】
【図１】遊技台の一例であるスロットマシンの斜視図である。
【図２】本体に開閉可能に蝶着される前面扉の分解斜視図である。
【図３】前面扉を背面側から見た分解斜視図である。
【図４】フロントパネル及び錠前装置を後方からみた斜視図である。
【図５】前面扉の説明図であって、（ａ）は前面扉の右側面図、（ｂ）は平面図である。
【図６】錠前装置の説明図であって、（ａ）は前面側から見た斜視図、（ｂ）は背面側から見た斜視図である。
【図７】錠前装置の要部の説明図であって、（ａ）は施錠状態の斜視図、（ｂ）は解錠状態の斜視図、（ｃ）は施錠状態の側面図、（ｄ）は解錠状態の側面図、である。
【図８】本体を構成するキャビネット及び錠受装置の分解斜視図である。
【図９】施錠装置の説明図であって、（ａ）は錠前装置及び錠受装置のそれぞれの側面図、（ｂ）は錠前装置及び錠受装置を互いに重ねてなる施錠装置の側面図である。
【図１０】錠前装置の要部の説明図であって、（ａ）は斜視図、（ｂ）は背面図である。
【図１１】錠前装置の基枠体に設けた異物対策片の説明図であって、基枠体の要部の背面図である。
【図１２】異物対策片の他の実施例を示す基枠体の要部の背面図である。
【図１３】錠前装置の基枠体の他の実施例を示し、（ａ）は上方部分の斜視図、（ｂ）は正面図である。
【図１４】錠受装置を取り付けた状態のスロットマシンの本体を示し、（ａ）は天板の一部を欠截した平面図、（ｂ）は正面図、（ｃ）はＡ部の拡大図である。
【図１５】キャビネットに前面扉を装着した状態を示しており、（ａ）は正面図、（ｂ）は前面扉を閉じた状態におけるＡ−Ａ線断面図、（ｃ）は前面扉を僅かに開いた状態におけるＡ−Ａ線断面図である。
【図１６】キャビネットに前面扉の装着した状態を示しており、（ａ）は正面図、（ｂ）は前面扉を閉じた状態におけるＢ−Ｂ線断面図、（ｃ）は前面扉を僅かに開いた状態におけるＢ−Ｂ線断面図である。
【図１７】不正防止手段を設けた本体及び前面扉の要部の断面図である。
【図１８】不正防止手段の他の実施例を示す本体及び前面扉の要部の断面図である。
【図１９】不正防止手段の他の実施例を示す本体及び前面扉の要部の断面図である。
【図２０】不正防止手段の他の実施例を示す本体及び前面扉の要部の断面図である。
【図２１】不正防止手段の他の実施例を示す本体及び前面扉の要部の断面図である。
【図２２】不正防止手段の他の実施例を示す本体及び前面扉の要部の断面図である。
【図２３】不正防止手段の他の実施例を示す本体及び前面扉の要部の断面図である。
【図２４】不正防止手段の他の実施例を示す本体及び前面扉の要部の断面図である。
【図２５】従来のスロットマシンにおける不正行為の説明図である。
【符号の説明】
【０１０３】
１００  スロットマシン
１０１  本体
１０２  前面扉
１１０  壁板
６１０  上部演出ユニット
６２０  リールパネル押えアッシー
６３０  メダル払出口パネル
６４０  受皿ユニット
６５０  操作部ベース
７００  錠前装置
７０１  施錠装置
７１０  基枠体
７１１  第１側板部
７１２  第２側板部
７１３  錠前基板部
７１４  支持ローラ
７２０  鈎部
７２１  係止溝
７３０  カム機構
７３１  連結杆
７３２  カム部材
７３３  補助板
７３４  係合口
７３５  バネ
７４０  シリンダ錠
７４１  鈎軸
７５０  遮蔽板部
７５１  第１起立片
７５２  第２起立片
７５３  第３起立片
７５４  かえし
８００  錠受装置
８１０  受け金具
８２０  鈎係止部
８３０  鈎受基板部
８３１  錠受先端部
８５０  凹部
８５１  係止溝
８６０  痕跡部材
８６１  弾性痕跡部材
９００  フロントパネル
９０１  側壁部
９０２  段差
９０３  突出片
【図１】
2008212285.tif 000003
【図２】
2008212285.tif 000004
【図３】
2008212285.tif 000005
【図４】
2008212285.tif 000006
【図５】
2008212285.tif 000007
【図６】
2008212285.tif 000008
【図７】
2008212285.tif 000009
【図８】
2008212285.tif 000010
【図９】
2008212285.tif 000011
【図１０】
2008212285.tif 000012
【図１１】
2008212285.tif 000013
【図１２】
2008212285.tif 000014
【図１３】
2008212285.tif 000015
【図１４】
2008212285.tif 000016
【図１５】
2008212285.tif 000017
【図１６】
2008212285.tif 000018
【図１７】
2008212285.tif 000019
【図１８】
2008212285.tif 000020
【図１９】
2008212285.tif 000021
【図２０】
2008212285.tif 000022
【図２１】
2008212285.tif 000023
【図２２】
2008212285.tif 000024
【図２３】
2008212285.tif 000025
【図２４】
2008212285.tif 000026
【図２５】
2008212285.tif 000027